(57)【要約】【課題】受光角度を調整できるスタンド型太陽光蓄電装置を提供すること。【解決手段】主に太陽光パネル、少なくとも２つのスタンド、少なくとも１つの蓄電装置、少なくとも１つの伝送インターフェース、少なくとも１つの可動脚部から構成され、スタンドと可動脚部により太陽光パネルを展開して設置でき、太陽光パネルで太陽光エネルギーを吸収して電気エネルギーに変換し、蓄電装置内に保存できるほか、伝送インターフェースで蓄電装置に保存した電力を、電力が必要な外部設備に供給することができる。【選択図】図１
0003154215.tif 000002
【実用新案登録請求の範囲】
【請求項１】
受光角度を調整できるスタンド型太陽光蓄電装置であって、主に、
太陽光パネルと、
前記太陽光パネルの下側に設置され、前記太陽光パネルを支持する少なくとも２つのスタンドと、
前記スタンド上に設置され、前記太陽光パネルが吸収した太陽光エネルギーを変換して得た電気エネルギーを保存する少なくとも１つの蓄電装置と、
前記スタンド上に設置され、前記蓄電装置内の電気エネルギーを外部設備に供給できる少なくとも１つの伝送インターフェースと、
前記太陽光パネルの一側に設置され、前記スタンドと連結させて前記太陽光パネルを展開させることができる少なくとも２つの可動脚部と、
を含むことを特徴とする、受光角度を調整できるスタンド型太陽光蓄電装置。
【請求項２】
前記太陽光パネルが単結晶シリコン太陽光パネル、多結晶シリコン太陽光パネル、アモルファスシリコン太陽光パネル、可撓性ガリウム砒素太陽光パネル、銅インジウムガリウムセレン太陽光パネル、多接合タンデム型太陽光パネルのいずれかとすることができ、前記蓄電装置がニッケル水素電池、アルカリ電池、水銀電池、ニッケルカドミウム電池、リチウム電池、リチウムポリマー電池のいずれかとすることができることを特徴とする、請求項１に記載の受光角度を調整できるスタンド型太陽光蓄電装置。
【請求項３】
前記スタンドに少なくとも１つの調整装置がそれぞれ設置され、前記蓄電装置が前記スタンドから取り外して交換可能であり、前記伝送インターフェースが少なくとも１つのＵＳＢスロットと少なくとも１つのコンセントを含み、前記スタンド上に少なくとも１つの挿入口を形成し、前記可動脚部の一端に嵌合部を設け、前記可動脚部上に調整装置を設けたことを特徴とする、請求項１に記載の受光角度を調整できるスタンド型太陽光蓄電装置。
【考案の詳細な説明】
【技術分野】
【０００１】
本考案は受光角度を調整できるスタンド型太陽光蓄電装置に関し、特に、太陽光エネルギーの収集角度を調整できる装置に関する。
【背景技術】
【０００２】
現在、地球環境及び人類の生存は厳しい試練に直面しており、地球温暖化と資源の枯渇問題はすでに一般人の日常生活の利便性に大きな影響を与えており、各国が競って関連技術を開発し、上述の問題の悪化を解決または遅らせようとしている。
そのうち、太陽光発電製品は使用過程において環境に対し負担や汚染を発生しないため、非常に重要な技術とみなされているが、太陽光発電製品のエネルギー変換効率が低いことが欠点であり、技術的なボトルネックと制限のほか、太陽光の照射方向が時間に伴って変化することが、太陽光発電製品の変換効率の悪さを引き起こす主要な原因となっている。
しかしながら、現今の一般的に使用されている太陽光発電装置はほとんどが一定角度に設置されており、太陽の照射角度に伴って調整することができないため、太陽光発電装置が日照の直射を受ける時間が短すぎて、取り込むことができる光エネルギーが限られ、太陽光発電装置が取得できるエネルギーの効率が大幅に低下してしまう。
【考案の概要】
【考案が解決しようとする課題】
【０００３】
本考案の主な目的は、主に太陽光パネル、少なくとも２つのスタンド、少なくとも１つの蓄電装置、少なくとも１つの伝送インターフェース、少なくとも２つの可動脚部から構成され、前記スタンドと前記可動脚部により前記太陽光パネルを展開して設置し、屋外に置いたとき前記太陽光パネルが太陽光を遮蔽できるほか、吸収した太陽光エネルギーを電気エネルギーに変換し、前記蓄電装置内に保存して、前記伝送インターフェースを介し電力を必要とする外部設備に前記蓄電装置に保存された電力を提供することができる、受光角度を調整できるスタンド型太陽光蓄電装置を提供することにある。
【０００４】
本考案の別の目的は、前記スタンドと前記可動脚部上にそれぞれ調整装置を設け、前記調整装置を調整してスタンドの高さと可動脚部の長さを伸縮させ、太陽光パネルを適切な角度と高さに調整し、最良の太陽光吸収効果を達することができる、受光角度を調整できるスタンド型太陽光蓄電装置を提供することにある。
【課題を解決するための手段】
【０００５】
本願の第１考案は、受光角度を調整できるスタンド型太陽光蓄電装置であって、主に、太陽光パネルと、前記太陽光パネルの下側に設置され、前記太陽光パネルを支持する少なくとも２つのスタンドと、前記スタンド上に設置され、前記太陽光パネルが吸収した太陽光エネルギーを変換して得た電気エネルギーを保存する少なくとも１つの蓄電装置と、前記スタンド上に設置され、前記蓄電装置内の電気エネルギーを外部設備に供給できる少なくとも１つの伝送インターフェースと、前記太陽光パネルの一側に設置され、前記スタンドと連結させて前記太陽光パネルを展開させることができる少なくとも２つの可動脚部を含むことを特徴とする、受光角度を調整できるスタンド型太陽光蓄電装置を提供する。
本願の第２考案は、前記太陽光パネルが単結晶シリコン太陽光パネル、多結晶シリコン太陽光パネル、アモルファスシリコン太陽光パネル、可撓性ガリウム砒素太陽光パネル、銅インジウムガリウムセレン太陽光パネル、多接合タンデム型太陽光パネルのいずれかとすることができ、前記蓄電装置がニッケル水素電池、アルカリ電池、水銀電池、ニッケルカドミウム電池、リチウム電池、リチウムポリマー電池のいずれかとすることができることを特徴とする、前記第１考案の受光角度を調整できるスタンド型太陽光蓄電装置を提供する。
本願の第３考案は、前記スタンドに少なくとも１つの調整装置がそれぞれ設置され、前記蓄電装置が前記スタンドから取り外して交換可能であり、前記伝送インターフェースが少なくとも１つのＵＳＢスロットと少なくとも１つのコンセントを含み、前記スタンド上に少なくとも１つの挿入口を形成し、前記可動脚部の一端に嵌合部を設け、前記可動脚部上に調整装置を設けたことを特徴とする、前記第１考案の受光角度を調整できるスタンド型太陽光蓄電装置を提供する。
【図面の簡単な説明】
【０００６】
【図１】本考案の立体外観図である。
【図２】本考案の立体分解図である。
【図３】本考案の局部立体図である。
【図４】本考案の最良の実施例図１である。
【図５】本考案の最良の実施例図２である。
【図６】本考案の最良の実施例図３である。
【図７】本考案の最良の実施例図４である。
【図８】本考案の最良の実施例図５である。
【考案を実施するための形態】
【０００７】
図１、図２、図３に本考案の立体外観図、立体分解図、局部立体図をそれぞれ示す。これらの図からはっきりと分かるように、本考案の受光角度を調整できるスタンド型太陽光蓄電装置は主に、太陽光パネル１、少なくとも２つのスタンド２、少なくとも１つの蓄電装置２１、少なくとも１つの伝送インターフェース２２、少なくとも１つの可動脚部３を含む。
【０００８】
前記太陽光パネル１は単結晶シリコン太陽光パネル、多結晶シリコン太陽光パネル、アモルファスシリコン太陽光パネル、可撓性ガリウム砒素太陽光パネル、銅インジウムガリウムセレン太陽光パネル、多接合タンデム型太陽光パネル等の関連規格とすることができる。
【０００９】
前記少なくとも２つのスタンド２は、前記太陽光パネル１の下側に設置され、前記太陽光パネル１を支持するために用い、その上に該スタンドの高さを調整するための調整装置２３が設置され、さらに少なくとも１つの挿入口２４が形成される。
【００１０】
前記少なくとも１つの蓄電装置２１は、ニッケル水素電池、アルカリ電池、水銀電池、ニッケルカドミウム電池、リチウム電池、リチウムポリマー電池等関連の電力を保存できる電池とし、かつ前記スタンド２上に設置され、前記太陽光パネル１が太陽光エネルギーを吸収し、変換して得た電気エネルギーを保存するために用い、かつ前記スタンド２から取り外すことができる。
【００１１】
前記少なくとも１つの伝送インターフェース２２は前記スタンド２上に設置され、少なくとも１つのＵＳＢスロット２２１と少なくとも１つのコンセント２２２を含む。
【００１２】
前記少なくとも１つの可動脚部３は前記太陽光パネル１の一側に設置され、前記スタンド２と連結させた後、前記太陽光パネル１を展開させることができ、その一端に嵌合部３１が設けられ、さらに調整装置３２が設置され、該可動脚部３を適切な長さに調整することができる。
【００１３】
図５、図６、図７、図８に本考案の最良の実施例図をそれぞれ示す。これらの図からはっきりと分かるように、主にまず可動脚部３一端の嵌合部３１をスタンド２の挿入口２４内に差し込み、可動脚部３とスタンド２の両者を結合させ、太陽光パネル１を展開して設置し、太陽光パネル１により太陽光を遮蔽できるほか、太陽光パネル１で太陽光エネルギーを吸収して電気エネルギーに変換し、スタンド２上の蓄電装置２１に保存すると共に、スタンド２上の伝送インターフェース２２を介して蓄電装置２１に保存した電力を例えば携帯電話、ＰＤＡ、ＭＰ３、小型ファン、照明装置、広告照明等の外部設備に提供することができ、かつ、外部設備の給電種類に基づき、ＵＳＢスロット２２１またはコンセント２２２の電力出力規格を選択することができる。このほか、各スタンド２上に設置された調整装置２３を調整し、スタンド２の高さを伸縮させることができ、また可動脚部３上の調整装置３２を調整して可動脚部３の長さを伸縮させ、可動脚部３一端の嵌合部３１を異なる高さの挿入口２４内に差し込むことで、太陽光パネル１を最適な角度に調整し、最良の太陽光吸収効果を達することができる。
【００１４】
上述から分かるように、本考案の構造によると、太陽光パネル１で太陽光を遮蔽できるだけでなく、利用可能な電気エネルギーを生成し、各種使用設備に必要な電力を供給することができる。このため、太陽光パネル１を屋外に設置したとき、使用者にとって、電力使用上の利便性を高め、電力節約の目的を達することができる。
【符号の説明】
【００１５】
１        太陽光パネル
２        スタンド
２１      蓄電装置
２２      伝送インターフェース
２２１    ＵＳＢスロット
２２２    コンセント
２３      調整装置
２４      挿入口
３        可動脚部
３１      嵌合部
３２      調整装置
【図１】
0003154215.tif 000003
【図２】
0003154215.tif 000004
【図３】
0003154215.tif 000005
【図４】
0003154215.tif 000006
【図５】
0003154215.tif 000007
【図６】
0003154215.tif 000008
【図７】
0003154215.tif 000009
【図８】
0003154215.tif 000010